(57)【要約】      （修正有）【課題】トラックの荷台などの載置受け面の損傷を防止することができる搬送用ボックスパレットを提供する。【解決手段】矩形の底パネル１の周囲に該底パネル１上に折り畳み可能な側パネルが立設されると共に、底パネル１の下側各角部に、使用状態での段積み時に下側パレットの側パネルで支持させることができる脚体３ａを突設する。底パネル１の底面に左右一対のフォークガイド３１を設け、このフォークガイド３１はフォークリフトのフォークを挿入する左右の側板３２，３２と、これら左右の側板３２，３２の下部を連結する底板３３とを備える。この底板３３の下面３３Ｋと脚体３ａの接地部２３とが同一高さであるから、脚体３ａの接地部２３に加えて下面３３Ｋによりボックスパレットの荷重を支持する。【選択図】図４
0003170925.tif 000002
【実用新案登録請求の範囲】
【請求項１】
矩形の底パネルの周囲に該底パネル上に折り畳み可能な側パネルが立設されると共に、底パネルの下側各角部に、使用状態での段積み時に下側パレットの側パネルの上辺で支持させることができる脚体が突設された段積み可能な搬送用ボックスパレットにおいて、前記底パネルの底面に前後方向をなす左右一対のフォークガイドを設け、このフォークガイドはフォークリフトのフォークを挿入する左右の側部と、これら左右の側部の下部を連結する底部とを備え、この底部の接地部と前記脚体の接地部とが同一高さであることを特徴とする段積み可能な搬送用ボックスパレット。
【請求項２】
前記底部が底板からなり、この底板の下面が前記底部の接地部であることを特徴とする請求項１記載の段積み可能な搬送用ボックスパレット。
【請求項３】
前記フォークガイドが前記底パネルの前後方向略全長に設けられていることを特徴とする請求項２記載の段積み可能な搬送用ボックスパレット。
【請求項４】
前記脚体は、前記脚体の接地部より高い位置に側パネルの上辺に載置する載置部を有し、前記フォークガイドは前後の側パネルの上辺間の間隔より短く、使用状態での段積み時に上側パレットの前記フォークガイドの下部が、下側パレットの前後の前記側パネルの間において下側パレットの上辺より下方に位置し、前記フォークガイドの前後には、使用状態での段積み時に前記下側パレットの上辺より上方に前記フォークを案内する案内ガイド部を設けたことを特徴とする請求項３記載の段積み可能な搬送用ボックスパレット。
【請求項５】
前記案内ガイド部の上縁が使用状態での段積み時に前記下側パレットの上辺より上方に位置すると共に、前記案内ガイド部の上縁の上方にフォーク挿入空間を有することを特徴とする請求項４記載の段積み可能な搬送用ボックスパレット。
【請求項６】
前記案内ガイド部は、該案内ガイド部の前記上縁の内外に、外側から前記上縁に向かって高くなるように傾斜した外側傾斜案内部と、内側から前記上縁に向かって高くなるように傾斜した内側傾斜案内部と、を有することを特徴とする請求項５記載の段積み可能な搬送用ボックスパレット。
【考案の詳細な説明】
【技術分野】
【０００１】
本考案は、底パネルの下側各角部に段積みに利用できる脚体が配設された段積み可能な搬送用ボックスパレットに関する。
【背景技術】
【０００２】
従来、この種の段積み可能な搬送用ボックスパレットとして、矩形の底パネルの周囲に前記底パネル上に折り畳み可能な側パネルが立設されると共に、底パネルの下側各角部に、段積み時に下側パレットの側パネルの上辺で支持させることができる脚体を突設したもの（例えば特許文献１及び２）が知られている。
【先行技術文献】
【特許文献】
【０００３】
【特許文献１】実開平４−６５７３２号公報
【特許文献２】特開２００５−７５３６４公報
【考案の開示】
【考案が解決しようとする課題】
【０００４】
上記の搬送用ボックスパレットにおいては、内部に農業生産物などを入れてトラック等により搬送した場合、脚体の接地面の面積が小さいため、トラックの荷台を損傷し、車両を傷付けるという問題がある。また、段積み時に上側パレットの脚部を下側パレットの側パネルの上辺に載置しただけでは、地震等の揺れにより上側パレットが上下方向に移動する虞がある。
【０００５】
そこで、本考案は、上記問題点を解決するものであり、トラックの荷台などの載置受け面の損傷を防止することができる搬送用ボックスパレットを提供することを目的とし、加えて、地震等の揺れを受けても荷崩れし難い搬送用ボックスパレットを提供する。
【課題を解決するための手段】
【０００６】
請求項１の考案は、矩形の底パネルの周囲に該底パネル上に折り畳み可能な側パネルが立設されると共に、底パネルの下側各角部に、使用状態での段積み時に下側パレットの側パネルの上辺で支持させることができる脚体が突設された段積み可能な搬送用ボックスパレットにおいて、前記底パネルの底面に前後方向をなす左右一対のフォークガイドを設け、このフォークガイドはフォークリフトのフォークを挿入する左右の側部と、これら左右の側部の下部を連結する底部とを備え、この底部の接地部と前記脚体の接地部とが同一高さであることを特徴とする。
【０００７】
請求項１の考案によれば、脚体の接地部に加えて底部の接地部によりボックスパレットの荷重を支持するため、荷重を加える箇所が増加し、その荷重が分散され、荷重受け面が損傷することを防止できる。
【０００８】
請求項２の考案は、前記底部が底板からなり、この底板の下面が前記底部の接地部であることを特徴とする。
【０００９】
請求項２の考案によれば、底部の接地部が面であるから、一層荷重を分散することができる。
【００１０】
請求項３の考案は、前記フォークガイドが前記底パネルの前後方向略全長に設けられていることを特徴とする。
【００１１】
請求項３の考案によれば、底パネルの前後方向略全長に設けられた底部の面により、より一層荷重を分散することができる。
【００１２】
請求項４の考案は、前記脚体は、前記脚体の接地部より高い位置に側パネルの上縁に載置する載置部を有し、前記フォークガイドは前後の側パネルの上辺間の間隔より短く、使用状態での段積み時に上側パレットの前記フォークガイドの下部が、下側パレットの前後の前記側パネルの間において下側パレットの上辺より下方に位置し、前記フォークガイドの前後には、使用状態での段積み時に前記下側パレットの上辺より上方に前記フォークを案内する案内ガイド部を設けたことを特徴とする。
【００１３】
請求項４の考案によれば、使用状態での段積みを安定するため、前記脚体の接地面より高い位置に側パネルの上辺に載置する載置部を有し、上側パレットのフォークガイドの下部が前後の前記側パネルの間において下側パレットの上辺より下方に位置するため、地震等の揺れを受けても、フォークガイドと前後の側パネルの上辺との係合により、荷崩れを防止することができる。さらに、フォークガイドにフォークを抜差しする際、案内ガイド部がフォークを案内することにより、フォークが下側パレットの上辺に当たることがない。
【００１４】
請求項５の考案は、前記案内ガイド部の上縁が使用状態での段積み時に前記下側パレットの上辺より上方に位置すると共に、前記案内ガイド部の上縁の上方にフォーク挿入空間を有することを特徴とする。
【００１５】
請求項５の考案によれば、案内ガイド部の上縁により、フォークを前記下側パレットの上辺より上方に案内することができ、フォークが下側パレットの上辺に接触することを防止できる。
【００１６】
請求項６の考案は、前記案内ガイド部は、外側から内側に向かって高くなるように傾斜した内側傾斜案内部と、外側から内側に向かって高くなるように傾斜した外側傾斜案内部と、を有することを特徴とする。
【００１７】
請求項６の考案によれば、フォークリフトにより下側パレット上に上側パレットを段積みし、この後、フォークを引き抜く際、内側傾斜案内部によりフォークが下側パレットの上辺にフォークが接触することを防止することができ、また、挿入時にも、先端を案内ガイド部の上縁の上方に挿入すれば、フォークが下側パレットの上辺に接触することがなく、外側傾斜案内部によりフォークをスムーズにフォークガイド内に挿入することができる。
【考案の効果】
【００１８】
本考案では、脚体の接地部に加えて底部の接地部によりボックスパレットの荷重を支持するため、荷重を加える箇所が増加し、その荷重が分散され、トラックの荷台などの載置受け面の損傷を防止することができる搬送用ボックスパレットを提供することを目的とし、加えて、上側パレットのフォークガイドの下部が前後の前記側パネルの間において下側パレットの上辺より下方に位置するため、地震等の揺れを受けても荷崩れし難い搬送用ボックスパレットを提供することができる。
【図面の簡単な説明】
【００１９】
【図１】本考案の実施例１を示す正面図である。
【図２】同上、一部を切り欠いた側面図である。
【図３】同上、一部を切り欠いた平面図である。
【図４】同上、脚体とフォークガイドの正面図である。
【図５】同上、フォークガイドの断面図である。
【考案を実施するための形態】
【００２０】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規な搬送用ボックスパレットを提供するを採用することにより、従来にない搬送用ボックスパレットを提供するが得られ、その搬送用ボックスパレットを提供するについて記述する。
【実施例１】
【００２１】
以下、本考案の実施例を添付図面を参照して説明する。図１〜図５は本考案の実施例１を示し、同図に示すように、本実施例の搬送用ボックスパレットは、矩形の底パネル１を備え、この底パネル１の周囲には、該底パネル１上に荷収納空間を形成する側パネル２Ａ，２Ｂ，２Ｃ，２Ｄが設けられ、以下、正面（前側）の側パネル２Ａを開閉自在なゲートパネル、左右両側の互いに平行な側パネル２Ｂ，２Ｃをサイドパネル、背面（後側）の側パネル２Ｄをバックパネルと称呼する。尚、側パネル２Ｂ，２Ｃが正面又は背面の側パネルの場合は、側パネル２Ａ，２Ｄが左又は右の側パネルとなる。
【００２２】
前記底パネル１の下側各角部には、段積み時に下側パレットの左右両サイドパネル２Ｂ，２Ｃの上辺の前後両端部に嵌合させることができる脚体３ａ，３ｂ及び脚体４ａ，４ｂが設けられている。ゲートパネル２Ａは、下側辺に後方側へ直角に折曲されて底パネル１上に載置される折曲片を備えたもので、この折曲片の端縁が底パネル１に螺旋状のヒンジコイル６により揺動自在に取り付けられている。バックパネル２Ｄは、その下側縁が底パネル１に螺旋状のヒンジコイル７により揺動自在に取り付けられ、左右両サイドパネル２Ｂ，２Ｃは、バックパネル２Ｄの左右両側辺にそれぞれ螺旋状のヒンジコイル８，８により揺動自在に取り付けられている。
【００２３】
各側パネル２Ａ，２Ｂ，２Ｃ，２Ｄの高さは、ゲートパネル２Ａを取り付けているヒンジコイル６とバックパネル２Ｄを取り付けているヒンジコイル７との間の底パネル１の奥行き寸法より短く、左右両サイドパネル２Ｂ，２Ｃの巾は、底パネル１の左右横巾の半分の寸法より短い。従って、左右両サイドパネル２Ｂ，２Ｃをヒンジコイル８，８の軸心の周りに後方へ回転させてバックパネル２Ｄの背面に重ねた状態で、当該バックパネル２Ｄをヒンジコイル７の軸心の周りに前方へ回転させて底パネル１の上に重ね、この上に被せるようにゲートパネル２Ａをヒンジコイル６の軸心の周りに後方へ回転させることにより、全体を偏平状に折り畳むことができる。
【００２４】
各パネルの詳細構造を説明すると、底パネル１は、左右両側辺に配置された上側開放の前後方向溝形材１６ａ，１６ｂ、両溝形材１６ａ，１６ｂの両端近傍位置を互いに連結する上側開放の左右方向溝形材１７ａ，１７ｂ、これら溝形材１６ａ，１６ｂ，１７ａ，１７ｂの上に載置固着された矩形のメッシュパネル材１９から構成され、各脚体３ａ，３ｂ，４ａ，４ｂは、左右両側辺の溝形材１６ａ，１６ｂと前後両側辺の溝形材１７ａ，１７ｂとのＴ字状交差部の下側に固着されている。各側パネル２Ａ，２Ｂ，２Ｃ，２Ｄはメッシュパネル材１９，１９，１９，１９から構成されたものであり、各メッシュパネル材１９，１９，１９，１９，１９は、縦線材と横線材とを格子状に配列すると共にその各交点を溶接により互いに固着して製造されるものである。尚、ゲートパネル２Ａのメッシュパネル材１９は、高さ方向略中央のヒンジ９により上下に分割されている。また、図中２０はゲートパネル２Ａの左右正面に設けられたゲートロック機構であり、このゲートロック機構２０を操作することによりゲートパネル２Ａを、立設状態の側パネル２Ｂ，２Ｃにロック及びロック解除することができる。
【００２５】
上記構成のボックスパレットは、使用に際してパネル２Ａ，２Ｂ，２Ｃ，２Ｄが起立状態で組み立てられ、周囲がパネル２Ａ，２Ｂ，２Ｃ，２Ｄで囲まれた底パネル１上の荷収納空間内に荷を収納した状態で、搬送や保管に利用できるが、上側パレットの各脚体３ａ，３ｂ，４ａ，４ｂを下側パレットの左右両サイドパネル２Ｂ，２Ｃの上辺２Ｆ，２Ｆの前後両端近傍位置に嵌合させることにより、段積みすることができる。一方、空のボックスパレットは、偏平状に折り畳むことができる。
【００２６】
前記脚体３ａ，３ｂ，４ａ，４ｂは、図４に示すように、角筒状の柱部２１の下端に、側パネル組み立て状態（使用状態）での段積み時に下側パレットの左右両サイドパネル２Ｂ，２Ｃの上辺２Ｆ，２Ｆに嵌合する前後方向凹溝部２２とその内側の巾の狭い平坦接地部２３とを形成する板材２４を溶接してなり、載置部たる前後方向凹溝部２２は平坦接地部２３より高い位置にあり、柱部２１の上端には、底パネル１の左右両側辺の溝形材１６ａ，１６ｂと前後両側辺の溝形材１７ａ，１７ｂとのＴ字状交差部に嵌合する切り欠きが形成され、該切り欠きの周縁と前記溝形材１６ａ，１６ｂ，１６ａ，１７ｂとを溶接することにより取り付けられている。
【００２７】
上記のようなボックスパレットにおいて、本考案では下記のような特徴構成を備える。前記底パネル１の底面には、前記左右の脚体３ａ，３ｂ，４ａ，４ｂの間に、左右一対のフォークガイド３１，３１を設けており、これら左右一対のフォークガイド３１，３１は鋼材などからなり、溶接により底パネル１に固定され、それらフォークガイド３１，３１にフォークリフト（図示せず）のフォークＦを挿入し、このフォークＦによりボックスパネルを運搬することができ、フォークガイド３１，３１は左右方向溝形材１７ａ，１７ｂの下面などに、その接合箇所の外側全周を溶着により固定されている。尚、前記フォークガイド３１は上側開放の前後方向溝形材からなり、平行に配置された左右の側部たる側板３２，３２と、これら左右の側板３２，３２の下端を連結する底部たる底板３３とを一体に備え、この底板３３の下面３３Ｋが接地部であり、この下面３３Ｋは前記平坦接地部２３と同一高さにある。また、前記フォークガイド３１が底パネル１の前後方向略全長に設けられているが、使用状態の下側パレットのゲートパネル２Ａとバックパネル２Ｄの上辺２Ｆ，２Ｆ間の間隔より短く、段積み時に使用状態の下側パレットのゲートパネル２Ａとバックパネル２Ｄの上辺２Ｆ，２Ｆの間にフォークガイド３１の下部が挿入される。この場合、フォークガイド３１の前後の下部が段積み時に使用状態の下側パレットのゲートパネル２Ａとバックパネル２Ｄの上辺２Ｆ，２Ｆに係合するから、地震等の揺れを受けても、上側パレットが前後にずれることがなく、荷崩れを防止できる。
【００２８】
また、前記フォークガイド３１の前後開口部の近傍には、使用状態での段積み時に下側パレットの上辺２Ｆより上方に前記フォークＦを案内する案内ガイド部３４を設けている。この案内部材３４は鋼材からなる板辺３５，３５Ａを山形に配置し、前記底板３３の上面に溶接などにより固着してなり、案内部材３４の角部である上縁３４Ｆが、下側パレットのゲートパネル２Ａ及びバックパネル２Ｄの上辺２Ｆ，２Ｆより上方に位置し、案内部材３４の上縁３４Ｆにフォーク挿入空間３６が設けられている。また、外側の前記板辺３５の上面３７が外側傾斜案内部であり、外側から内側に向かって高くなるように傾斜しており、内側の前記板辺３５Ａの上面３７Ａが内側傾斜案内部であり、内側か外側に向かって高くなるように傾斜している。
【００２９】
そして、フォークリフトを用いて下側パレットに上側パレットを段積みし、そのフォークＦを引き抜く際、フォークＦが内側案内面たる上面３７Ａにより案内されることにより、下段パレットの上辺２Ｆに接触することがなく、また、運搬するためにフォークＦの挿入時にも、先端をフォーク挿入空間３６に挿入すれば、フォークＦが上辺２Ｆに接触することがなく、フォークガイド３１内にフォークＦをスムーズに挿入することができる。
【００３０】
このように本実施例では、請求項１に対応して、矩形の底パネル１の周囲に該底パネル１上に折り畳み可能な側パネルたるゲートパネル２Ａ，サイドパネル２Ｂ，２Ｃ及びバックパネル２Ｄが立設されると共に、底パネル１の下側各角部に、使用状態での段積み時に下側パレットの側パネルたるサイドパネル２Ｂ，２Ｃの上辺２Ｆ，２Ｆで支持させることができる脚体３ａ，３ｂ，４ａ，４ｂが突設された段積み可能な搬送用ボックスパレットにおいて、底パネル１の底面に左右一対のフォークガイド３１，３１を設け、このフォークガイド３１はフォークリフトのフォークＦを挿入する左右の側部たる側板３２，３２と、これら左右の側板３２，３２の下部を連結する底部たる底板３３とを備え、この底板３３の接地部たる下面３３Ｋと脚体３ａ，３ｂ，４ａ，４ｂの接地部２３とが同一高さであるから、脚体３ａ，３ｂ，４ａ，４ｂの接地部２３に加えて底板３３の下面３３Ｋによりボックスパレットの荷重を支持するため、荷重を加える箇所が増加し、その荷重が分散され、荷重受け面が損傷することを防止できる。
【００３１】
また、このように本実施例では、請求項２に対応して、請求項２の考案は、底部が底板３３からなり、この底板３３の下面３３Ｋが前記底部の接地部であり、底部の接地部が面であるから、一層荷重を分散することができる。
【００３２】
また、このように本実施例では、請求項３に対応して、フォークガイド３１が底パネル１の前後方向略全長に設けられているから、底パネル１の前後方向略全長に設けられた底部の面により、より一層荷重を分散することができる。
【００３３】
また、このように本実施例では、請求項４に対応して、脚体３ａ，３ｂ，４ａ，４ｂは、脚体３ａ，３ｂ，４ａ，４ｂの接地部２３より高い位置に側パネルの上辺２Ｆに載置する載置部たる前後方向凹溝部２２を有し、フォークガイド３１は前後の側パネルたるゲートパネル２Ａ及びバックパネル２Ｄの上辺２Ｆ，２Ｆ間の間隔より短く、使用状態での段積み時に上側パレットのフォークガイド３１の下部が、下側パレットのゲートパネル２Ａ及びバックパネル２Ｄの間において下側パレットの上辺２Ｆより下方に位置し、フォークガイド３１の前後には、使用状態での段積み時に下側パレットの上辺２Ｆより上方にフォークＦを案内する案内ガイド部３４を設けたから、使用状態での段積みを安定するため、脚体３ａ，３ｂ，４ａ，４ｂの接地部２３より高い位置に側パネルの上辺２Ｆに載置する前後方向凹溝部２２を有し、上側パレットのフォークガイド３１の下部がゲートパネル２Ａ及びバックパネル２Ｄの間において下側パレットの上辺２Ｆより下方に位置するため、地震等の揺れを受けても、フォークガイド３１とゲートパネル２Ａ及びバックパネル２Ｄの上辺２Ｆ，２Ｆとの係合により、荷崩れを防止することができる。さらに、フォークガイド３１にフォークＦを抜差しする際、案内ガイド部３４がフォークＦを案内することにより、フォークＦが下側パレットの上辺２Ｆに当たることがない。
【００３４】
また、このように本実施例では、請求項５に対応して、案内ガイド部３４の上縁３４Ｆが使用状態での段積み時に下側パレットの上辺２Ｆより上方に位置すると共に、案内ガイド部３４の上縁３４Ｆの上方にフォーク挿入空間３６を有するから、案内ガイド部３４の上縁３４Ｆにより、フォークＦを下側パレットの上辺２Ｆより上方に案内することができ、フォークＦが下側パレットの上辺２Ｆに接触することを防止できる。
【００３５】
また、このように本実施例では、請求項６に対応して、案内ガイド部３４は、案内ガイド部３４の上縁３４Ｆの内外に、外側から上縁34Ｆに向かって高くなるように傾斜した外側傾斜案内部たる上面３７と、内側から上縁34Ｆに向かって高くなるように傾斜した内側傾斜案内部たる上面３７Ａと、を有するから、フォークリフトにより下側パレット上に上側パレットを段積みし、この後、フォークＦを引き抜く際、内側傾斜案内部たる３７ＡによりフォークＦが下側パレットの上辺２Ｆに接触することを防止することができ、また、挿入時にも、先端を案内ガイド部３４の上縁３４Ｆの上方に挿入すれば、フォークＦが下側パレットの上辺に接触することがなく、外側傾斜案内部たる上面３７によりフォークＦをスムーズにフォークガイド内に挿入することができる。
【００３６】
尚、本考案は、本実施例に限定されるものではなく、本考案の要旨の範囲内で種々の変形実施が可能である。例えば、実施例の左右の側パネルを前後のパネルとしたパレットに左右一対のフォークガイドを設けてもよい。また、案内ガイド部は、フォークガイドの前後の少なくとも一方に設ければよく、一方の場合は前側が好ましい。また、上記実施形態で説明したボックスパレット全体の構成は一例に過ぎず、これに限定されるものではない。例えば、左右両サイドパネル２Ｂ，２Ｃの巾を広くして、当該左右両サイドパネル２Ｂ，２Ｃをバックパネル２Ｄに重ねるように折り畳んだとき、両サイドパネル２Ｂ，２Ｃが互いに重なり合うように構成しても良い。又、ゲートパネル２Ａの構成は、上記実施形態に示した構造のものに限定されない。さらに、底パネル１は、強度部材から成るベースフレーム上に板材を張設したものであっても良い。勿論、各側パネル２Ａ〜２Ｄも、メッシュパネル材から構成されるものに限定されない。また、本考案のボックスパネルは各部材が鋼材からなるから、部材同士の固定には溶接を用いている。
【符号の説明】
【００３７】
１  底パネル
２Ａ  ゲートパネル（前側の側パネル）
２Ｂ  サイドパネル（左の側パネル）
２Ｃ  サイドパネル（右の側パネル）
２Ｄ  バックパネル（後側の側パネル）
２Ｆ  上辺
３ａ，３ｂ，４ａ，４ｂ  脚体
２２  前後方向凹溝部（載置部）
２３  平坦接地部（接地部）
３１  フォークガイド
３２  側板（側部）
３３  底板（底部）
３３Ｋ  下面（接地部）
３４  案内ガイド部
３４Ｆ  上縁
３６  フォーク挿入空間
３７  上面（外側傾斜案内面）
３７Ａ  上面（内側傾斜案内面）
【図１】
0003170925.tif 000003
【図２】
0003170925.tif 000004
【図３】
0003170925.tif 000005
【図４】
0003170925.tif 000006
【図５】
0003170925.tif 000007